(57)【特許請求の範囲】
【請求項１】
防水コネクタに用いる極数分の挿通孔を設けた一体型防水栓の挿通孔に、セパレート型防水栓を外嵌した端子付電線の端末部分を挿通して、端子付電線の端末部分に一体型防水栓を外嵌するための防水栓通し装置であって、
セパレート型防水栓を外嵌した端子付電線の端子金具及びセパレート型防水栓を挿脱可能に収容する筒部と、この筒部と連続して上記一体型防水栓の挿通孔に先端が導入可能に細くなった導入部とを有する端子挿通用キャップと、
この端子挿通用キャップを一体型防水栓とは相対的に挿抜可能な挿通孔を含み、且つ端子挿通用キャップに一体型防水栓を外嵌した状態で、一体型防水栓を係止しつつ端子挿通用キャップを挿通孔によって挿入方向に案内する案内係止部材とを有し、
上記端子挿通用キャップの筒部にセパレート型防水栓を外嵌した端子付電線の端子金具及びセパレート型防水栓を収容すると共に導入部に一体型防水栓を外嵌した状態で、端子挿通用キャップと案内係止部材とを相対移動させる変位手段によって、案内係止部材で係止される一体型防水栓を、端子挿通用キャップの終端を通過させて端子付電線に外嵌する構成としたことを特徴とする防水栓通し装置。
【請求項２】
前記変位手段が、上記端子挿通用キャップの端部に先端部を当接可能とした可動軸を、案内係止部材より離反する離反位置と、案内係止部材に近接する近接位置との間で変位させる構成を有し、
上記端子挿通用キャップの筒部にセパレート型防水栓を外嵌した端子付電線の端子金具及びセパレート型防水栓を収容すると共に導入部に一体型防水栓を外嵌した状態で、端子挿通用キャップの導入部を案内係止部材の貫通孔に挿入して、この端子挿通用キャップの端部に可動軸の先端部を当接させて、変位手段によって可動軸を上記近接位置に変位させることによって、案内係止部材の貫通孔の入口で係止される一体型防水栓を、端子挿通用キャップの終端を通過させて端子付電線に外嵌する構成とした請求項１記載の防水栓通し装置。
【発明の詳細な説明】
【０００１】
【発明の属する技術分野】
本発明は、防水コネクタに用いる極数分の挿通孔を設けた一体型防水栓の挿通孔に、セパレート型防水栓を外嵌した端子付電線の端末部分を挿通して、端子付電線の端末部分に一体型防水栓を外嵌するための防水栓通し装置に関する。
【０００２】
【従来の技術】
一般にワイヤーハーネスやワイヤーハーネスを構成するサブアセンブリの付属部品として防水コネクタが知られている。この防水コネクタは、被覆電線の端子金具を収容するハウジングと、このハウジングと被覆電線との間に介在して両者間をシールするゴム等からなる防水栓とを備え、これにより防水機能を奏するようになっている。
【０００３】
この防水栓としては、通常、各端子付電線の端末部分にそれぞれ外嵌するセパレート型防水栓を使用するか、又は極数分の挿通孔を設けた一体型防水栓を使用する。セパレート型防水栓を使用する場合は、電線加工機を用いて、電線を切断し、この電線にセパレート型防水栓を外嵌した後に端子圧着を行うことによって、セパレート型防水栓を外嵌した端子付電線を容易に製造することができる。他方、一体型防水栓を使用する場合は、電線加工機を用いて、電線切断、端子圧着を行って端子付電線を製造した後に、一体型防水栓の各挿通孔に防水栓拡げ治具を用いて端子付電線を挿通する。
【０００４】
更に、他の形態の防水コネクタとして、防水栓を２重に設けて防水機能を強化したものがある。具体的には、例えば、図９に示す防水コネクタ８は、電線３に圧着した端子金具２をハウジング６内に挿入してセパレート型防水栓４と一体型防水栓５を併用して挿入部を２重に防水する構造になっている。
【０００５】
この防水コネクタ８は、図１０に示すように、各端子付電線９の端末部分にセパレート型防水栓４を外嵌すると共に極数分の挿通孔５ａ（図１１参照）を設けた一体型防水栓５に各電線３を挿通して、ハウジング６に端子付電線９を図示矢印方向に挿入する。これによって、図９に示すように、ハウジング６の嵌合穴６ｂにセパレート型防水栓４が圧入されて各キャビティ６ａ毎にシールされると共に、ハウジング６の嵌合穴６ｃに一体型防水栓５が圧入されてハウジング６から外出する電線３の端末部分全体が一括してシールされる２重防水構造になっている。
【０００６】
この防水コネクタ８に用いる図１０に示す２つの防水栓４，５を外嵌した端子付電線９は、電線３の切断工程、一体型防水栓５の装着工程、セパレート型防水栓４の装着工程、端子金具２の圧着工程をこの順で行って製造することになるため、電線加工機では製造することができない。従って、この方法では作業性が悪く生産性が低い点で問題があった。
【０００７】
そこで、電線３の切断工程、セパレート型防水栓４の装着工程、端子金具２の圧着工程までを電線加工機で行い、最後に一体型防水栓５の装着工程を行う方法が考えられる。この方法では、治具を用いて一体型防水栓５の挿通孔を爪で拡開し、そこにセパレート型防水栓４を外嵌した端子付電線９を挿通する作業を行う。
【０００８】
具体的には、例えば、図１１（ａ）に示す２極の一体型防水栓５は２つの挿通孔５ａを有し、図１１（ｂ）に示すセパレート型防水栓４は中心に１つの挿通孔４ａを有する。このセパレート型防水栓４の外径は、一体型防水栓５の挿通孔の径よりかなり大径である。このため、図１１（ｃ）に示すように、２つの爪７を有する治具を用いて一体型防水栓５の挿通孔５ａを２方向に拡開しても、拡開した挿通孔５ａ’をセパレート型防水栓４が通過できる大きさまで拡げられない。そこで、図１１（ｄ）に示すように、３つの爪７を有する治具を用いて一体型防水栓５の挿通孔５ａを３方向に拡開して、拡開した挿通孔５ａ”をセパレート型防水栓４が通過できる大きさまで拡げて、この挿通孔５ａ”にセパレート型防水栓４を外嵌した端子付電線３を挿通している。
【０００９】
【発明が解決しようとする課題】
しかしながら、上記した３つの爪７を有する治具を用いる方法では、図１１（ｄ）に示すように一体型防水栓５の挿通孔５ａを３方向に拡開した際に、防水栓５の拡げ許容範囲を超え、亀裂が生じるおそれがあった。
【００１０】
本発明は、こうした従来技術の課題を解決するものであり、一体型防水栓の挿通孔に、セパレート型防水栓を外嵌した端子付電線の端末部分を挿通して、端子付電線の端末部分に一体型防水栓を損傷を与えることなく簡単に外嵌することができ、作業性及び生産性の向上を図ることができる防水栓通し装置を提供することを目的とする。
【００１１】
【課題を解決するための手段】
本発明は、防水コネクタに用いる極数分の挿通孔を設けた一体型防水栓の挿通孔に、セパレート型防水栓を外嵌した端子付電線の端末部分を挿通して、端子付電線の端末部分に一体型防水栓を外嵌するための防水栓通し装置であって、セパレート型防水栓を外嵌した端子付電線の端子金具及びセパレート型防水栓を挿脱可能に収容する筒部と、この筒部と連続して上記一体型防水栓の挿通孔に先端が導入可能に細くなった導入部とを有する端子挿通用キャップと、この端子挿通用キャップを一体型防水栓とは相対的に挿抜可能な挿通孔を含み、且つ端子挿通用キャップに一体型防水栓を外嵌した状態で、一体型防水栓を係止しつつ端子挿通用キャップを挿通孔によって挿入方向に案内する案内係止部材とを有し、上記端子挿通用キャップの筒部にセパレート型防水栓を外嵌した端子付電線の端子金具及びセパレート型防水栓を収容すると共に導入部に一体型防水栓を外嵌した状態で、端子挿通用キャップと案内係止部材とを相対移動させる変位手段によって、案内係止部材で係止される一体型防水栓を、端子挿通用キャップの終端を通過させて端子付電線に外嵌する構成を有する。
【００１２】
この構成によれば、一体型防水栓の挿通孔に端子付電線を挿通する際に、端子挿通用キャップの筒部にセパレート型防水栓を外嵌した端子付電線の端子金具及びセパレート型防水栓を収容するため、端子金具及びセパレート型防水栓が挿通の邪魔にならない。
【００１３】
また、端子挿通用キャップの導入部に一体型防水栓を外嵌した状態で、変位手段によって端子挿通用キャップと案内係止部材とを相対移動させることによって、案内係止部材で係止される一体型防水栓の挿通孔の内周全体に均一な力が外径方向に加わって、挿通孔が徐々に拡開しながら、一体型防水栓が、端子挿通用キャップの終端を通過して端子付電線に外嵌されるため、一体型防水栓に亀裂等が生じるのを防止することが可能となる。
【００１４】
従って、セパレート型防水栓を外嵌した端子付電線を電線加工機等で製造した後に、一体型防水栓を端子付電線の端末部分に損傷を与えることなく簡単に外嵌することが可能となり、作業性及び生産性が向上する。
【００１５】
上記の防水栓通し装置において、前記変位手段が、上記端子挿通用キャップの端部に先端部を当接可能とした可動軸を、案内係止部材より離反する離反位置と、案内係止部材に近接する近接位置との間で変位させる構成を有し、上記端子挿通用キャップの筒部にセパレート型防水栓を外嵌した端子付電線の端子金具及びセパレート型防水栓を収容すると共に導入部に一体型防水栓を外嵌した状態で、端子挿通用キャップの導入部を案内係止部材の貫通孔に挿入して、この端子挿通用キャップの端部に可動軸の先端部を当接させて、変位手段によって可動軸を上記近接位置に変位させることによって、案内係止部材の貫通孔の入口で係止される一体型防水栓を、端子挿通用キャップの終端を通過させて端子付電線に外嵌する構成とすることができ、上記した構成の場合と同様の作用効果を奏する。
【００１６】
【発明の実施の形態】
以下に、本発明の実施の形態を図面に基づいて具体的に説明する。
【００１７】
図１は、本発明の防水栓通し装置１の構成例を示す。
【００１８】
この防水栓通し装置１は、図９〜図１１に示す防水コネクタ８に用いる一体型防水栓５の各挿通孔５ａに、セパレート型防水栓４を外嵌した端子付電線９の端末部分を挿通して、端子付電線９の端末部分に一体型防水栓５を外嵌するためのものである。
【００１９】
この防水栓通し装置１は、図１に示すように、端子挿通用キャップ１１と、ベース１３上に固定された案内係止部材１２及び変位手段２０とを有する。
【００２０】
端子挿通用キャップ１１は、セパレート型防水栓４を外嵌した端子付電線９の端子金具２及びセパレート型防水栓４を挿脱可能に収容する内径Ｄ３、外径ｄ１の筒部１１ｂと、この筒部１１ｂと連続して一体型防水栓５の挿通孔５ａに先端が導入可能に細くなった導入部１１ａとを有する。
【００２１】
案内係止部材１２は、端子挿通用キャップ１１の外径ｄ１に対応する内径Ｄ２（Ｄ２≒ｄ１）の貫通孔１２ａを有し、一体型防水栓５を外嵌した端子挿通用キャップ１１がこの貫通孔１２ａに挿入されたときに、貫通孔１２ａの入口で一体型防水栓５を係止しつつ端子挿通用キャップ１１を挿入方向に案内するものである。
【００２２】
変位手段２０は、端子挿通用キャップ１１の端部１１ｃに先端部２１ａを当接可能とした押込み軸２１を固定した可動軸２３を、案内係止部材１２より離反する離反位置Ｐ２と、案内係止部材１２に近接する近接位置Ｐ１との間で変位させるものである。
【００２３】
具体的には、押込み軸２１が固定された可動軸２３が案内部２２に案内されていて、可動軸２３の後部に固定された軸２６にリンク２４の一方端側が連結され、固定側の支え２７にリンク２５の一方端側が軸３０（図５参照）によって軸支され、リンク２４，２５の他端側が軸２８に連結されている。そして、操作レバー２９がリンク２５の他端側を延設させて一体化するようにして設けられている。この構成により、この操作レバー２９を矢印Ｓ方向に起こすと、可動軸２３に固定された押込み軸２１がリンク２４，２５を介して案内係止部材１２に近接する想像線で表す近接位置Ｐ１に変位し、逆に操作レバー２９を矢印Ｔ方向に倒すと押込み軸２１が案内係止部材１２より離反する実線で表す離反位置Ｐ２に変位する。
【００２４】
この押込み軸２１は、図１に示すように、外径ｄ５、内径Ｄ４（ｄ５＝ｄ１，Ｄ４＝Ｄ３、ｄ１：端子挿通用キャップ１１の外径、Ｄ３：端子挿通用キャップ１１の内径）の中空体で、その先端部２１ａから軸方向に所定長にわたって一対の切欠２１ｂが形成されていて、図３に示す形状をなしている。そして、端子付電線９の端子金具２を端子挿通用キャップ１１の筒部１１ｂに収容した状態で、端子挿通用キャップ１１の端部１１ｃに押込み軸２１の先端部２１ａを当接させた際に、上記切欠２１ｂから電線３を外部に導出できるようになっている。
【００２５】
ここで、図２〜図８に基づいて、上記の防水栓通し装置１を用いて、一体型防水栓５の挿通孔５ａに、セパレート型防水栓４を外嵌した端子付電線９の端末部分を挿通する作業工程について、具体的に説明する。
【００２６】
予め、図２（ａ）に示すセパレート型防水栓４を外嵌した端子付電線９を電線加工機で製造する。
【００２７】
次に、図２（ｂ）に示すように、セパレート型防水栓４を外嵌した端子付電線９の端子金具２及びセパレート型防水栓４を端子挿通用キャップ１１の筒部１１ｂに収容すると共に、導入部１１ａに一体型防水栓５を外嵌する。
【００２８】
次に、図４に示すように、変位手段２０の操作レバー２９を矢印Ｔ方向に倒し、可動軸２３に固定された押込み軸２１が案内係止部材１２より離反した離反位置Ｐ２にある状態で、端子挿通用キャップ１１の導入部１１ａを案内係止部材１２の貫通孔１２ａに挿入すると共に、この端子挿通用キャップ１１の端部１１ｃに押込み軸２１の先端部２１ａを当接させる。その際、押込み軸２１の切欠２１ｂから電線３を外部に導出する。
【００２９】
次に、図５に示すように、操作レバー２９を矢印Ｓ方向に起こし、変位手段２０の可動軸２３に固定された押込み軸２１を案内係止部材１２に近接する近接位置Ｐ１側に変位させて、一体型防水栓５を外嵌した端子挿通用キャップ１１を貫通孔１２ａに案内させて前方に押し込み、一体型防水栓５を貫通孔１２ａの入口で係止しつつ、一体型防水栓５が端子挿通用キャップ１１の終端を通過するまで、端子挿通用キャップ１１を前進させる。
【００３０】
図６は、図５における符号Ｍで示す部分の状態を部分断面図で拡大して表しており、案内係止部材１２の貫通孔１２ａの入口で係止される一体型防水栓５が、端子挿通用キャップ１１の終端を通過し、押込み軸２１に外嵌された状態になっている。この状態で、端子挿通用キャップ１１に収容された端子金具２につながる電線３は、押込み軸２１の切欠２１ｂの奥から外部に導出している。
【００３１】
次に、操作レバー２９を操作して可動軸２３に固定された押込み軸２１を離反位置Ｐ２に戻した後に、図７に示すように、端子挿通用キャップ１１を案内係止部材１２の貫通孔１２ａから前方に抜き取り、端子挿通用キャップ１１の筒部１１ｂに収容されていた端子金具２及びセパレート型防水栓４を抜き取る。
【００３２】
次に、図８に示すように、端子付電線９を案内係止部材１２の貫通孔１２ａから後方に抜き取る。これによって、一体型防水栓５が外嵌された端子付電線９が得られる。
【００３３】
このように、セパレート型防水栓４を外嵌した端子付電線９を電線加工機等で製造した後に、一体型防水栓５を端子付電線９の端末部分に損傷を与えることなく簡単に外嵌することができ、作業性及び生産性の向上を図ることができる。
【００３４】
以上、本発明の防水栓通し装置は、上記した実施形態の具体的構成に限定されるものではなく、必要に応じ適宜構成を変形、追加又は削除した構成としてもよいことは言うまでもない。
【００３５】
例えば、上記では、ベースに固定された案内係止部材の貫通孔に、一体型防水栓を外嵌した端子挿通用キャップの導入部を挿入して、端子挿通用キャップの端部に変位手段の可動軸の先端部を当接させて、変位手段によって可動軸を変位させて、案内係止部材の貫通孔で係止される一体型防水栓を、端子挿通用キャップの終端を通過させて端子付電線に外嵌する構成例を示したが、本発明はこれに限定されるものではなく、案内係止部材が、端子挿通用キャップに一体型防水栓を外嵌した状態で一体型防水栓を係止しつつ端子挿通用キャップを挿入方向に案内でき、変位手段が、案内係止部材と端子挿通用キャップとを相対移動させることができるものであれば、他の構成であってもよい。
【００３６】
また、上記では、一体型防水栓が、２極防水コネクタに用いる２つの挿通孔を有するものの場合の例を示したが、本発明はこれに限定されるものではなく、多極防水コネクタに用いる３つ以上の挿通孔を有する一体型防水栓の挿通孔に、セパレート型防水栓を外嵌した端子付電線を挿通する際にも本発明を適用することができることは言うまでもないことである。
【００３７】
【発明の効果】
以上説明したように、本発明の防水栓通し装置によれば、一体型防水栓の挿通孔に端子付電線を挿通する際に、端子挿通用キャップの筒部にセパレート型防水栓を外嵌した端子付電線の端子金具及びセパレート型防水栓を収容するため、端子金具及びセパレート型防水栓が挿通の邪魔にならない。
【００３８】
また、端子挿通用キャップの導入部に一体型防水栓を外嵌した状態で、変位手段によって端子挿通用キャップと案内係止部材とを相対移動させることによって、案内係止部材で係止される一体型防水栓の挿通孔の内周全体に均一な力が外径方向に加わるようにして、挿通孔を徐々に拡開しながら、一体型防水栓を、端子挿通用キャップの終端を通過させて端子付電線に外嵌するようにしているため、一体型防水栓に亀裂等が生じるのを防止することができる。
【００３９】
従って、セパレート型防水栓を外嵌した端子付電線を電線加工機等で製造した後に、一体型防水栓を端子付電線の端末部分に損傷を与えることなく簡単に外嵌することができ、作業性及び生産性の向上を図ることができる。
【００４０】
また、上記案内係止部材が、端子挿通用キャップの外径に対応する貫通孔を有し、一体型防水栓を外嵌した端子挿通用キャップがこの貫通孔に挿入されたときに、貫通孔の入口で一体型防水栓を係止しつつ端子挿通用キャップを挿入方向に案内し、上記変位手段が、端子挿通用キャップの端部に先端部を当接可能とした可動軸を、案内係止部材より離反する離反位置と、案内係止部材に近接する近接位置との間で変位させる構成とすることができ、上記と同様の作用効果を奏する。
【図面の簡単な説明】
【図１】本発明の防水栓通し装置の構成例を示す斜視図である。
【図２】本発明の防水栓通し装置における端子挿通用キャップに、セパレート型防水栓を外嵌した端子付電線及び一体型防水栓を装着する様子を示す側面図であって、（ａ）は装着前の状態を、（ｂ）は装着後の状態を表す。
【図３】本発明の防水栓通し装置における押込み軸の先端部の形状を示す斜視図である。
【図４】本発明の防水栓通し装置において、変位手段の可動軸を離反位置にして、セパレート型防水栓を外嵌した端子付電線及び一体型防水栓を装着した端子挿通用キャップをセットした状態を示す斜視図である。
【図５】図４に示す状態から変位手段の可動軸を近接位置に変位させて、端子挿通用キャップを案内係止部材に押し込んだときの状態を示す斜視図である。
【図６】図５における符号Ｍで示す部分の状態を拡大して示す部分断面図である。
【図７】端子挿通用キャップを案内係止部材の貫通孔から前方に抜き取り、端子挿通用キャップの筒部に収容されていた端子金具及びセパレート型防水栓を抜き取った状態を示す斜視図である。
【図８】端子付電線を案内係止部材の貫通孔から後方に抜き取って、一体型防水栓が外嵌された端子付電線が完成した状態を示す斜視図である。
【図９】端子付電線を挿入した防水コネクタの構成例を示す側面図である。
【図１０】防水コネクタのハウジングに端子付電線を挿入する様子を示す側面図である。
【図１１】一体型防水栓とセパレート型防水栓を示す断面図であって、（ａ）は一体型防水栓を、（ｂ）はセパレート型防水栓を、（ｃ）は一体型防水栓の挿通孔を２方向に拡開する様子を、（ｄ）は一体型防水栓の挿通孔を３方向に拡開する様子を表す。
【符号の説明】
１  防水栓通し装置
２  端子金具
４  セパレート型防水栓
５  一体型防水栓
９  端子付電線
１１  端子挿通用キャップ
１１ａ  導入部
１１ｂ  筒部
１２  案内係止部材
１２ａ  貫通孔
２０  変位手段
２１  押込み軸
２３  可動軸
【図１】
0003695290.tif 000002
【図２】
0003695290.tif 000003
【図３】
0003695290.tif 000004
【図４】
0003695290.tif 000005
【図５】
0003695290.tif 000006
【図６】
0003695290.tif 000007
【図７】
0003695290.tif 000008
【図８】
0003695290.tif 000009
【図９】
0003695290.tif 000010
【図１０】
0003695290.tif 000011
【図１１】
0003695290.tif 000012